(57)【要約】      （修正有）【課題】広角・高変倍で、ズーム中固定の最終レンズ群を光軸と垂直方向に動かすことで性能劣化の少ない、簡易な機構で防振が行えるズームレンズを実現する。【解決手段】物体側から順に正の屈折力を有する第１レンズ群、負の屈折力を有する第２レンズ群、正の屈折力を有する第３レンズ群、負の屈折力を有する第４レンズ群、正の屈折力を有する第５レンズ群を有し、広角端から望遠端までのズーム中に、第１レンズ群、第５レンズ群は固定であり、第２レンズ群が像側に移動し、第３レンズ群が物体側に移動、第４レンズ群が移動することで変倍を行い、第１レンズ群は光路を９０°折り曲げる反射部材を含み、第５レンズ群全体、あるいは少なくとも一部を光軸と交差する方向に移動させて、光学系の振動に伴う撮影画像のブレ補正を行い、以下の条件式を満足する。０．２８＜１−β5＜１．０・・・（１）−２．２＜ｆ4／ｆw＜−１．０・・・（２）【選択図】図１
2013037326.tif 000002
【特許請求の範囲】
【請求項１】
物体側から順に正の屈折力を有する第１レンズ群、負の屈折力を有する第２レンズ群、正の屈折力を有する第３レンズ群、負の屈折力を有する第４レンズ群、正の屈折力を有する第５レンズ群から構成され、
広角端から望遠端への変倍に際し、
前記第１レンズ群は固定であり、
前記第２レンズ群が像側に移動し、
前記第３レンズ群が物体側に移動し、
前記第４レンズ群が移動し
前記第５レンズ群は固定であり、
前記第１レンズ群は光路を９０°折り曲げる反射部材を含み、前記第５レンズ群全体、あるいは少なくとも一部を光軸と交差する方向に移動させて、光学系の振動に伴う撮影画像のブレ補正を行い、
以下の条件式（１）、（２）を満たすことを特徴とするズームレンズ。
０．２８  ＜  １−β5  ＜ １．０  ・・・（１）
−２．２  ＜  ｆ4／ｆw  ＜  −１．０  ・・・（２）
但し、
β5はズーム全域における無限遠物点合焦時の前記第５レンズ群の結像倍率、
ｆ4は前記第４レンズ群の焦点距離、
ｆwはズームレンズ全系の広角端の焦点距離
である。
【請求項２】
以下の条件式（３）を満たすことを特徴とする請求項１に記載のズームレンズ。
２．０  ＜  ｆ1／ｆw  ＜  ３．４  ・・・  （３）
但し、
ｆ1は前記第１レンズ群の焦点距離
である。
【請求項３】
以下の条件式（４）を満たすことを特徴とする請求項１乃至２に記載のズームレンズ。
−３ ＜  ｆ2／ｆw ＜ −１  ・・・  （４）
但し、
ｆ2は前記第２レンズ群の焦点距離
である。
【請求項４】
以下の条件式（５）を満たすことを特徴とする請求項１乃至３に記載のズームレンズ。
１．２  ＜  ｆ3／ｆw  ＜ ２．２  ・・・  （５）
但し、
ｆ3は前記第３レンズ群の焦点距離
である。
【請求項５】
前記第４レンズ群にて無限物体距離から近距離までのフォーカスを行うことを特徴とする請求項１乃至４に記載のズームレンズ。
【請求項６】
物体側から順に正の屈折力を有する第１レンズ群、負の屈折力を有する第２レンズ群、正の屈折力を有する第３レンズ群、正の屈折力を有する第４レンズ群、負の屈折力を有する第５レンズ群、正の屈折力を有する第６レンズ群から構成され、
広角端から望遠端への変倍に際し、
前記第１レンズ群は固定であり、
前記第２レンズ群が像側に移動し、
前記第３レンズ群は固定であり、
前記第４レンズ群が物体側に移動し、
前記第５レンズ群が移動し
前記第６レンズ群は固定であり、
前記第１レンズ群は光路を９０°折り曲げる反射部材を含み、前記第６レンズ群全体、あるいは少なくとも一部を光軸と交差する方向に移動させて、光学系の振動に伴う撮影画像のブレ補正を行い、
以下の条件式（６）、（７）、（８）を満たすことを特徴とするズームレンズ。
０．３４  ＜  １−β6  ＜ １．０  ・・・（６）
１．６  ＜  ｆ4／ｆw  ＜  ２．６  ・・・（７）
−３．０  ＜  ｆ5／ｆw  ＜  −１．３  ・・・（８）
但し、
β6はズーム全域における無限遠物点合焦時の前記第６レンズ群の結像倍率、
ｆ4は前記第４レンズ群の焦点距離、
ｆ5は前記第５レンズ群の焦点距離、
ｆwはズームレンズ全系の広角端の焦点距離
である。
【請求項７】
以下の条件式（９）を満たすことを特徴とする請求項６に記載のズームレンズ。
２．０  ＜  ｆ1／ｆw  ＜  ２．８  ・・・  （９）
但し、
ｆ1は前記第１レンズ群の焦点距離
である。
【請求項８】
前記第５レンズ群にて無限物体距離から近距離までのフォーカスを行うことを特徴とする請求項６乃至７に記載のズームレンズ。
【発明の詳細な説明】
【技術分野】
【０００１】
本発明は、ズームレンズに関するものであって、ビデオカメラやデジタルカメラ等に用いられる小型な広角・高変倍ズームレンズに関する。
【背景技術】
【０００２】
近年、ビデオカメラやデジタルカメラカメラにおいては、撮影用途の拡がりに伴い、広角化・高変倍化などが求められ、このようなカメラに搭載するズームレンズの小型化・薄型化が進んでいる。
【０００３】
そして、光軸方向の薄型化のため、光学系の最も物体側のレンズ群に光路を折り曲げるプリズムを配置する光学系が多数提案されてきている。
【０００４】
また、撮影光学系が薄型化・小型化されることで、カメラが軽量化されることによる、手持ち撮影時の手ブレによる画像の劣化という問題があるが、光学系の一部レンズを光軸と交差する方向に移動させることで、撮影画像のブレをキャンセルさせるズームレンズも多数提案されてきている
【０００５】
光学系の最も物体側のレンズ群に光路を折り曲げるプリズムを配置する光学系において、光学系の一部のレンズを光軸と垂直方向に動かすことで防振を行う従来技術としては、特許文献１、特許文献２、特許文献３、特許文献４、特許文献５が提案されている。
【０００６】
また、光学系の最も物体側のレンズ群に光路を折り曲げるプリズムを配置する光学系において、光学系を小型化するために、物体より順に正・負・正・負・正の屈折力を持つ５群タイプのズームレンズとして、特許文献６、特許文献７、特許文献８、特許文献９が提案されている。
【先行技術文献】
【特許文献】
【０００７】
【特許文献１】特開２００８−２６１９９６号公報
【特許文献２】特開２００９−１９２７７１号公報
【特許文献３】特開２０１０−０９７１２７号公報
【特許文献４】特開２０１１−０７０２２０号公報
【特許文献５】特開２０１１−０７０２２２号公報
【特許文献６】特開２００９−２３６９７３号公報
【特許文献７】特開２０１１−０９５５０４号公報
【特許文献８】特開２００８−１２９２３８号公報
【特許文献９】特開２０１０−１７００８４号公報
【特許文献１０】特開２０１１−０９５５０５号公報
【発明の概要】
【発明が解決しようとする課題】
【０００８】
しかしながら、光学系の一部を動かすことで防振を提案している特許文献１、２、３、４、５のズームレンズにおいて、特許文献1は変倍比が10程度であるが広角端の画角が70°以下と十分な広角化がなされておらず、広角化のためには各レンズ群の屈折力を最適に配置する必要がある。  特許文献２、４、５で開示されているズームレンズは、広角端におけるが画角が７０°以下と十分な広角化がなされておらず、ズームの変倍比が４倍以下と小さい。  また、特許文献３に開示されているズームレンズは広角端における画角が７０°以上で変倍比が５倍程度であるが、物体側から順に正・負・正・正・負の屈折力を持つズーム群構成のうち、開口絞りに近い正屈折力の第３レンズ群を光軸と垂直に動かして防振するため、収差変動が大きく防振時の性能劣化が大きいといった問題がある。
【０００９】
また、特許文献６、７に開示されたズームレンズは、光学系の小型化のために、物体側から順に正・負・正・負・正の屈折力のズームレンズ群からなる構成を提案し、画角７０°以上で変倍比５倍程度以上を達成している。  この際防振時の性能劣化を最も少なく抑えるため、最も像側に配置されている第５レンズ群を光軸と垂直方向に移動させることが好ましいが、正屈折力の第５レンズ群の結像倍率が小さいため、防振時のレンズ移動量が大きくなり、防振機構が大型化するという問題があった。  また、負の第４レンズ群で防振した場合、正の第５レンズ群でフォーカスすることが望ましいが、第５レンズ群の結像倍率が小さいため、フォーカス移動量が大きく、同様に小型化が困難であった。
また、特許文献８、９、１０に開示されたズームレンズは、光学系の小型化のために、物体側から順に正・負・正・正・負・正の屈折力のズームレンズ群からなる構成を提案し、画角７０°以上で変倍比５倍程度以上を達成している。  この際防振時の性能劣化を最も少なく抑えるため、最も像側に配置されている第６レンズ群を光軸と垂直方向に移動させることが好ましいが、正屈折力の第６レンズ群の結像倍率が小さいため、防振時のレンズ移動量が大きくなり、防振機構が大型化するという問題があった。  また、負の第５レンズ群で防振した場合、正の第６レンズ群でフォーカスすることが望ましいが、第６レンズ群の結像倍率が小さいため、フォーカス移動量が大きく、同様に小型化が困難であった。
【００１０】
さらに特許文献１０は、第６レンズ群の結像倍率が大きい実施例も記載されているが、第６レンズ群がズーム時に可動のため、駆動機構が複雑化、大型化するといった問題があった。
【００１１】
本発明は、上記に鑑みてなされたものであって、広角・高変倍でありながら、ズーム中固定の最終レンズ群を光軸と垂直方向に動かすことで性能劣化の少ない、簡易な機構で防振が行えるズームレンズを提供することを目的とするものである。
【課題を解決するための手段】
【００１２】
上述した課題を解決し、目的を達成するために、本発明の第１のズームレンズは、
物体側から順に正の屈折力を有する第１レンズ群、負の屈折力を有する第２レンズ群、正の屈折力を有する第３レンズ群、負の屈折力を有する第４レンズ群、正の屈折力を有する第５レンズ群から構成され、
広角端から望遠端までのズーム中に、第１レンズ群、第５レンズ群は固定であり、第２レンズ群が像側に移動し、第３レンズ群が物体側に移動、第４レンズ群が移動することで変倍を行い、第１レンズ群は光路を９０°折り曲げる反射部材を含み、第５レンズ群全体、あるいは少なくとも一部を光軸と交差する方向に移動させて、光学系の振動に伴う撮影画像のブレ補正を行い、
以下の条件式を満足することを特徴とする。
０．２８  ＜  １−β5  ＜ １．０  ・・・（１）
−２．２  ＜  ｆ4／ｆw  ＜  −１．０  ・・・（２）
但し、β5はズーム全域における無限遠物点合焦時の第５レンズ群の結像倍率、ｆ4は第４レンズ群の焦点距離、ｆwはズームレンズ全系の広角端の焦点距離である。
【００１３】
本発明の第１のズームレンズでは、正屈折力のレンズ群を最も物体側に配置した正先行タイプのズームレンズを採用することで、変倍比の確保に有利となり、広角・高変倍ズームレンズとしての好ましいレンズ配置となる。主な変倍は第１−第２レンズ群間の間隔変化と第２−第３レンズ群間の間隔変化と第３−第４レンズ群間の間隔変化にて行うことができる。加えて、正屈折力の第５レンズ群を配置することにより、射出瞳の位置を適切に設定し、第１ないし第４レンズ群のサイズを小さくできる。そのため、小型なズームレンズを構成することに有利となる。
【００１４】
ここでズーミング時に、第１−第２レンズ群間隔を増大させることにより変倍を行っているが、第３レンズ群との間隔を減少させるように移動させることで、望遠端における入射瞳位置を適切に設定させることができ、レンズ径を小型化することができる。  また、第３レンズ群を移動させることにより、第１−第２レンズ群の変倍作用を分担することができ、ズーム時の第１−第２レンズ群の移動量を小さくすることができ、望遠端におけるレンズ全長を短縮することが出来る。  さらに、ズーミング時に、第３−第４レンズ群、第４−第５レンズ群間隔を増加させるように移動させることで、変倍作用を持たせることが出来るため、高倍率化を達成している。また、本発明のズームレンズは、第１レンズ群および第５レンズ群が変倍時に固定しているため、枠機構を簡略化し小型化し易い。
【００１５】
条件式（１）は、第５レンズ群の結像倍率を規定するための条件式であり、第５レンズ群を光軸と垂直にシフトさせたときの像シフト量を適切に設定することができる。
条件式（1）の上限を超えると、第５レンズ群を光軸と垂直にシフトさせたときの像面のシフト量の感度が大きくなり過ぎ、高い精度での制御が要求されるため、位置制度を確保することが困難となる。
また条件式（１）の下限を超えると、第５レンズ群を光軸と垂直にシフトさせたときの像面のシフト量の感度が小さくなり過ぎ、像面をシフトさせるときの第５レンズ群の移動量が大きくなり、小型化に反する。
【００１６】
また、第５レンズ群は少なくとも１枚の正レンズから構成されることが枠構成を簡易にする上で好ましいが、複数のレンズで構成する場合、第５レンズ群の少なくとも１枚の正レンズを光軸と垂直にシフトさせることで防振したときの収差変動を小さくすることができる。
【００１７】
また、第５レンズ群をシフトさせる駆動機構及び、像ブレを検出する検出系の出力に基づいて駆動系にシフト量を付与する制御系と組み合わせることによって、手ブレを補正する防振ズーム光学系として機能させることが可能である。
【００１８】
さらに、本発明では、高いズーム比を実現するために、広角端から望遠端へのズーミング時に、第３−第４レンズ群間隔と第４−第５レンズ群間隔を増加させるように、第４レンズ群を移動させることが良く、上記を実現するためには、第４レンズ群の屈折力を条件式（２）にて適切に設定する必要がある。
条件式（２）の上限をこえると、第４レンズ群の移動量は小さくなるが、望遠側における像面変動が大きくなり、ズーム全域での性能を確保することが困難となる。
条件式（２）の下限をこえると、広角側における像面変動が大きくなり、高い光学性能を維持することが困難となる。そして、ズーミング時の第４レンズ群の移動量が増大するため、小型化が困難となる。
【００１９】
また、本発明の第１のズームレンズは、以下の条件式（３）を満たすことが好ましい。
２．０  ＜  ｆ1／ｆw  ＜  ３．４  ・・・  （３）
但し、ｆ1は第１レンズ群の焦点距離である
条件式（３）は第１レンズ群の焦点距離を適切に規定する条件式で、小型化と、高性能化を達成することができる。
条件式（３）の上限を超えて第１レンズ群の焦点距離が長くなると、第１レンズ群の屈折力が弱くなり、レンズ全長が長くなり、小型化に反する。
条件式（３）の下限を超えて第１レンズ群の焦点距離が短くなると、第１レンズ群の屈折力が強くなり、望遠端での球面収差を良好に補正することが困難となる。
【００２０】
また、本発明の第１のズームレンズは、以下の条件式（４）を満たすことが好ましい。
−３ ＜  ｆ2／ｆw ＜ −１  ・・・  （４）
但し、ｆ2は第２レンズ群の焦点距離である。
条件式（４）は第２レンズ群の焦点距離を適切に規定する条件式で、小型化と、高性能化を達成することができる。
条件式（４）の上限をこえると、収差補正上は有利となるが、ズーミング時の第２レンズ群の移動量を大きくなるため、レンズ全長が長くなり、レンズ径も大型化するため小型化に反する。
条件式（４）の下限をこえると、第２レンズ群の屈折力が大きくなり過ぎ、第２レンズ群で発生する像面湾曲と非点収差が大きくなるため、それを良好に補正するためには、レンズ枚数の追加や非球面の追加が必要となるばかりか、第２レンズ群の製造誤差による性能低下感度が大きくなるため好ましくない。
【００２１】
また、本発明の第１のズームレンズは、以下の条件式（５）を満たすことが好ましい。
１．２  ＜  ｆ3／ｆw  ＜ ２．２  ・・・  （５）
但し、ｆ3は第３レンズ群の焦点距離である。
条件式（５）は第３レンズ群の焦点距離を適切に規定する条件式で、小型化と、高性能化を達成することができる。
条件式（５）の上限をこえると、収差補正上は有利となるが、ズーミング時の第３レンズ群の移動量を大きくなるため、レンズ全長が長くなり、レンズ径も大型化するため小型化に反する。
条件式（５）の下限をこえると、第３レンズ群の屈折力が大きくなり過ぎ、第３レンズ群で発生する球面収差とコマ収差が大きくなるため、それを良好に補正するためには、レンズ枚数の追加や非球面の追加が必要となるばかりか、第３レンズ群の製造誤差による性能低下感度が大きくなるため好ましくない。
【００２２】
また、本発明のフォーカシング方式は、第４レンズ群を光軸方向に移動させることによって行うのが好ましい。  フォーカシングに伴う諸収差の変動を比較的少なくすることができるためである。
【００２３】
また上述した課題を解決し、目的を達成するために、本発明の第２のズームレンズは、
物体側から順に正の屈折力を有する第１レンズ群、負の屈折力を有する第２レンズ群、正の屈折力を有する第３レンズ群、正の屈折力を有する第４レンズ群、負の屈折力を有する第５レンズ群、正の屈折力を有する第６レンズ群から構成され、
広角端から望遠端までのズーム中に、第１レンズ群、第３レンズ群、第６レンズ群は固定であり、第２レンズ群が像側に移動し、第４レンズ群が物体側に移動、第５レンズ群が移動することで変倍を行い、第１レンズ群は光路を９０°折り曲げる反射部材を含み、第６レンズ群全体、あるいは少なくとも一部を光軸と交差する方向に移動させて、光学系の振動に伴う撮影画像のブレ補正を行い、
以下の条件式を満足することを特徴とする。
０．３４  ＜  １−β6  ＜ １．０  ・・・（６）
１．６  ＜  ｆ4／ｆw  ＜  ２．６  ・・・（７）
−３．０  ＜  ｆ5／ｆw  ＜  −１．３  ・・・（８）
但し、β6はズーム全域における無限遠物点合焦時の第６レンズ群の結像倍率、ｆ4は第４レンズ群の焦点距離、ｆ5は第５レンズ群の焦点距離、ｆwはズームレンズ全系の広角端の焦点距離である。
【００２４】
第１のズームレンズ同様、正屈折力のレンズ群を最も物体側に配置した正先行タイプのズームレンズを採用することで、変倍比の確保に有利となり、広角・高変倍ズームレンズとしての好ましいレンズ配置となる。ここで主な変倍は第１−第２レンズ群間の間隔変化と、第３−第４レンズ群間の間隔変化と、第４−第５レンズ群間の間隔変化にて行うことができる。加えて、正屈折力の第６レンズ群を配置することにより、射出瞳の位置を適切に設定し、第１ないし第５レンズ群のサイズを小さくできる。そのため、小型なズームレンズを構成することに有利となる。
【００２５】
ここでズーミング時に、第１−第２レンズ群間隔を増大させることにより変倍を行っているが、第３レンズ群との間隔を減少させるように移動させることで、望遠端における入射瞳位置を適切に設定させることができ、レンズ径を小型化することができる。
また、第４レンズ群を移動させることにより、第１−第２レンズ群の変倍作用を分担することができ、ズーム時の第１−第２レンズ群の移動量を小さくすることができ、望遠端におけるレンズ全長を短縮することが出来る。
さらに、ズーミング時に、第４−第５レンズ群、第５−第６レンズ群間隔を増加させるように移動させることで、変倍作用を持たせることが出来るため、高倍率化を達成している。
また、本発明のズームレンズは、第１、第３、第６レンズ群が変倍時に固定しているため、枠機構を簡略化し小型化し易い。
【００２６】
さらに条件式（６）にて第６レンズ群の結像倍率を規定することで、第６レンズ群を光軸と垂直にシフトさせたときの像シフト量を適切に設定することができる。
条件式（６）の上限を超えると、第６レンズ群を光軸と垂直にシフトさせたときの像面のシフト量の感度が大きくなり過ぎ、高い精度での制御が要求されるため、位置制度を確保することが困難となる。
条件式（６）の下限を超えると、第６レンズ群を光軸と垂直にシフトさせたときの像面のシフト量の感度が小さくなり過ぎ、像面をシフトさせるときの第５レンズ群の移動量が大きくなり、小型化に反する
【００２７】
さらに、条件式（７）にて第４レンズ群の焦点距離を適切に規定することで、小型化と、高性能化を達成することができる。
条件式（７）の上限をこえると、収差補正上は有利となるが、ズーミング時の第４レンズ群の移動量を大きくなるため、レンズ全長が長くなり、レンズ径も大型化するため小型化に反する。
条件式（７）の下限をこえると、第４レンズ群の屈折力が大きくなり過ぎ、第４レンズ群で発生する球面収差とコマ収差が大きくなるため、それを良好に補正するためには、レンズ枚数の追加や非球面の追加が必要となるばかりか、第４レンズ群の製造誤差による性能低下感度が大きくなるため好ましくない。
【００２８】
さらに、本発明では、広角化と高ズーム比を実現するために、広角端から望遠端へのズーミング時に、第４−第５レンズ群間隔と第５−第６レンズ群間隔を増加させるように、第５レンズ群を移動させることが良く、上記を実現するためには、第５レンズ群の屈折力を条件式（８）にて適切に設定する必要がある。
条件式（８）の上限をこえると、第５レンズ群の移動量は小さくなるが、望遠側における像面変動が大きくなり、ズーム全域での性能を確保することが困難となる。
条件式（８）の下限をこえると、広角側における像面変動が大きくなり、高い光学性能を維持することが困難となる。そして、ズーミング時の第５レンズ群の移動量が増大するため、小型化が困難となる。
【００２９】
また、本発明の第２のズームレンズは、以下の条件式（９）を満たすことが好ましい。
２．０  ＜  ｆ1／ｆw  ＜  ２．８  ・・・  （９）
但し、ｆ1は第１レンズ群の焦点距離である
条件式（９）は第１レンズ群の焦点距離を適切に規定する条件式で、小型化と、高性能化を達成することができる。
条件式（９）の上限を超えて第１レンズ群の焦点距離が長くなると、第１レンズ群の屈折力が弱くなり、レンズ全長が長くなり、小型化に反する。
条件式（９）の下限を超えて第１レンズ群の焦点距離が短くなると、第１レンズ群の屈折力が強くなり、望遠端での球面収差を良好に補正することが困難となる。
【００３０】
また、本発明の第２のズームレンズのフォーカシング方式は、第５レンズ群を光軸方向に移動させることによって行うのが良い。  フォーカシングに伴う諸収差の変動を比較的少なくすることができるためである。
【発明の効果】
【００３１】
本発明によれば、広角・高変倍でありながら、ズーム中固定の最終レンズ群を光軸と垂直方向に動かすことで性能劣化の少ない、簡易な機構で防振が行えるズームレンズを提供することができる。
【図面の簡単な説明】
【００３２】
【図１】本発明の第１のズームレンズに関する実施例１の無限遠物点合焦時の広角端（ａ）、中間状態（ｂ）、望遠端（ｃ）でのレンズ断面図である。
【図２】実施例１の無限遠物点合焦時の収差図である。
【図３】本発明の第１のズームレンズに関する実施例２の無限遠物点合焦時の広角端（ａ）、中間状態（ｂ）、望遠端（ｃ）でのレンズ断面図である。
【図４】実施例２の無限遠物点合焦時の収差図である。
【図５】本発明の第１のズームレンズに関する実施例３の無限遠物点合焦時の広角端（ａ）、中間状態（ｂ）、望遠端（ｃ）でのレンズ断面図である。
【図６】実施例３の無限遠物点合焦時の収差図である。
【図７】本発明の第２のズームレンズに関する実施例４の無限遠物点合焦時の広角端（ａ）、中間状態（ｂ）、望遠端（ｃ）でのレンズ断面図である。
【図８】実施例４の無限遠物点合焦時の収差図である。
【図９】本発明の第２のズームレンズに関する実施例５の無限遠物点合焦時の広角端（ａ）、中間状態（ｂ）、望遠端（ｃ）でのレンズ断面図である。
【図１０】実施例５の無限遠物点合焦時の収差図である。
【図１１】本発明によるズームレンズを組み込んだデジタルカメラのの断面図である。
【発明を実施するための形態】
【００３３】
本実施形態のズームレンズ及び撮像装置の構成による作用効果を説明する。なお、この実施形態によって本発明は限定されるものではない。すなわち、実施形態の説明に当たって、例示のために特定の詳細な内容が多く含まれるが、これらの詳細な内容に色々なバリエーションや変更を加えても、本発明の範囲を超えない。従って、以下で説明する本発明の例示的な実施形態は、権利請求された発明に対して、一般性を失わせることなく、また、何ら限定をすることもなく、述べられたものである
【００３４】
以下、本実施形態のズームレンズの実施例１〜５について説明する。実施例１〜５の無限遠物点合焦時の広角端（ａ）、中間焦点距離状態（ｂ）、望遠端（ｃ）のレンズ断面図をそれぞれ図１、図３、図５、図７、図９に示す。図１、図３、図５、図７、図９中、第１レンズ群はＧ１、第２レンズ群はＧ２、明るさ（開口）絞りはＳ、第３レンズ群はＧ３、第４レンズ群はＧ４、第５レンズ群はＧ５、第６レンズ群はＧ６、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【００３５】
また、各実施例において、明るさ絞りＳは固定である。数値データはいずれも無限遠の被写体に合焦した状態でのデータである。各数値の長さの単位はｍｍ、角度の単位は°（度）である。フォーカシングはいずれの実施例も最も像側のレンズ群の移動により行う。さらに、ズームデータは広角端、中間焦点距離状態、望遠端での値である。また、屈折力の正負は、近軸曲率半径に基づく。
【００３６】
また、ゴーストやフレア等の不要光をカットするために、明るさ絞り以外にフレア絞りを配置してもかまわない。フレア絞りは、第１レンズ群の物体側、第１レンズ群と２レンズ群の間、第２レンズ群と３レンズ群の間、第３レンズ群と４レンズ群の間、第４レンズ群と５レンズ群の間、第５レンズ群と像面の間、第５レンズ群と６レンズ群の間、第６レンズ群と像面の間のいずれの場所に配置しても良い。枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
【００３７】
また、各レンズには反射防止コートを行い、ゴーストやフレアを軽減してもかまわない。反射防止コートがマルチコートであれば、効果的にゴーストやフレアを軽減できる。ゴーストやフレアの発生を防止するためにレンズの空気接触面に反射防止コートを施すことは一般的に行われている。また赤外カットコートをレンズ面やカバーガラスの表面に施してもかまわない。
【００３８】
一方、接合レンズの接合面では、接着材の屈折率が空気の屈折率よりも十分高い。そのため、接合面での反射率は、もともと単層コート並みか、あるいはそれ以下となっていることが多い。そのため、接合レンズの接合面にあえて反射防止コートを施すことは少ない。しかしながら、接合面にも積極的に反射防止コートを施せば、さらにゴーストやフレアを軽減することができる。その結果、より良好な画像を得ることができるようになる。
【００３９】
特に、最近になって普及してきた高屈折率硝材は、収差補正効果が高い。そのため、高屈折率硝材はカメラ光学系に多用されるようになってきている。ただし、高屈折率硝材を接合レンズとして用いた場合、接合面での反射も無視できなくなってくる。そのような場合、接合面に反射防止コートを施しておくことは特に効果的である。接合面コートの効果的な使用法に関しては、特開平２−２７３０１号公報、特開２００１−３２４６７６号公報、特開２００５−９２１１５号公報、米国特許第７１１６４８２号明細書等の特許文献に開示されている。
【００４０】
これらの特許文献のズームレンズは正先行型のズームレンズで、第１レンズ群内の接合レンズ面コートについて述べられている。本実施形態の正屈折力の第１レンズ群内の接合レンズ面についてもこれら文献に開示されているごとく実施すればよい。使用するコート材としては、基盤となるレンズの屈折率と接着材の屈折率に応じて、比較的高屈折率なTa2O5、TiO2、Nb2O5、ZrO2、HfO2、CeO2、SnO2、In2O3、ZnO、Y2O3などのコート材、比較的低屈折率なMgF2、SiO2、Al2O3などのコート材、などを適宜選択し、位相条件を満たすような膜厚に設定すれば良い。
【００４１】
当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【００４２】
またピント調節を行うためのフォーカシングは第５レンズ群、もしくは第６レンズ群が望ましい。この群でフォーカシングを行うとレンズ重量が軽量なためモータにかかる負荷が少ない。他レンズ群でフォーカシングを行っても良い。また複数のレンズ群を移動してフォーカシングを行っても良い。またレンズ系全体を繰り出してフォーカスを行っても良いし、一部のレンズを繰り出し、もしくは繰り込みしてフォーカスしても良い。
【００４３】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００４４】
広角端から望遠端にかけての変倍時、第１レンズ群Ｇ１は固定である。第２レンズ群Ｇ２は像側に移動する。第３レンズ群Ｇ３は物体側へ移動する。第４レンズ群Ｇ４は物体側に移動する。第５レンズ群Ｇ５は固定である。よって、レンズ群の間隔は、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増加する。
【００４５】
物体側から順に、第１レンズ群Ｇ１は、物体側に凸面を向けた負メニスカスレンズと、光路を９０°折り曲げる反射部材と、両凸正レンズとからなる。第２レンズ群Ｇ２は、物体側に両凹負レンズと、両凸正レンズと両凹負レンズの接合レンズとからなる。第３レンズ群Ｇ３は、両凸正レンズと、両凸正レンズと両凹負レンズの接合レンズとからなる。第４レンズ群Ｇ４は、物体側に凸面を向けた負メニスカスレンズと物体側に凸面を向けた正メニスカスレンズの接合レンズとからなる。第５レンズ群Ｇ５は、両凸正レンズからなる。
【００４６】
上記、第５レンズ群の両凸正レンズを光軸と垂直な方向に移動させることで像シフトを行う。
【００４７】
非球面は、第１レンズ群の両凸正レンズの両面と、第２レンズ群の両凹負レンズの両面と、第３レンズ群の両凸正レンズの両面と、第４レンズ群の物体側に凸面を向けた負メニスカスレンズと物体側に凸面を向けた正メニスカスレンズの接合レンズの像側面と、第５レンズ群の両凸正レンズの両面との９面に用いている。
【００４８】
実施例２のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００４９】
広角端から望遠端にかけての変倍時、第１レンズ群Ｇ１は固定である。第２レンズ群Ｇ２は像側に移動する。第３レンズ群Ｇ３は物体側へ移動する。第４レンズ群Ｇ４は物体側に移動する。第５レンズ群Ｇ５は固定である。よって、レンズ群の間隔は、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増加する。
【００５０】
物体側から順に、第１レンズ群Ｇ１は、物体側に凸面を向けた負メニスカスレンズと、光路を９０°折り曲げる反射部材と、両凸正レンズとからなる。第２レンズ群Ｇ２は、物体側に両凹負レンズと、物体側に凹面を向けた正メニスカスレンズと両凹負レンズの接合レンズとからなる。第３レンズ群Ｇ３は、両凸正レンズと、物体側に凸面を向けた正メニスカスレンズと物体側に凸面を向けた負メニスカスレンズの接合レンズとからなる。第４レンズ群Ｇ４は、物体側に凸面を向けた負メニスカスレンズと物体側に凸面を向けた負メニスカスレンズの接合レンズとからなる。第５レンズ群Ｇ５は、両凸正レンズからなる。
【００５１】
上記、第５レンズ群の両凸正レンズを光軸と垂直な方向に移動させることで像シフトを行う。
【００５２】
非球面は、第１レンズ群の両凸正レンズの両面と、第２レンズ群の両凹負レンズの両面と、第３レンズ群の両凸正レンズの両面と、第４レンズ群の物体側に凸面を向けた負メニスカスレンズと物体側に凸面を向けた正メニスカスレンズの接合レンズの像側面と、第５レンズ群の両凸正レンズの両面との９面に用いている。
【００５３】
実施例３のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００５４】
広角端から望遠端にかけての変倍時、第１レンズ群Ｇ１は固定である。第２レンズ群Ｇ２は像側に移動する。第３レンズ群Ｇ３は物体側へ移動する。第４レンズ群Ｇ４は物体側に移動する。第５レンズ群Ｇ５は固定である。よって、レンズ群の間隔は、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増加する。
【００５５】
物体側から順に、第１レンズ群Ｇ１は、物体側に凸面を向けた負メニスカスレンズと、光路を９０°折り曲げる反射部材と、両凸正レンズとからなる。第２レンズ群Ｇ２は、物体側に両凹負レンズと、物体側に凹面を向けた正メニスカスレンズと両凹負レンズの接合レンズとからなる。第３レンズ群Ｇ３は、両凸正レンズと、物体側に凸面を向けた負メニスカスレンズと両凸正レンズの接合レンズとからなる。第４レンズ群Ｇ４は、物体側の曲率がより強い負レンズからなる。第５レンズ群Ｇ５は、両凸正レンズからなる。
【００５６】
上記、第５レンズ群の両凸正レンズを光軸と垂直な方向に移動させることで像シフトを行う。
【００５７】
非球面は、第１レンズ群の両凸正レンズの両面と、第２レンズ群の両凹負レンズの両面と、第３レンズ群の両凸正レンズの両面および物体側に凸面を向けた負メニスカスレンズと両凸正レンズの接合レンズの像側面と、第４レンズ群の物体側に凸面を向けた負メニスカスレンズの両面と、第５レンズ群の両凸正レンズの両面との１１面に用いている。
【００５８】
実施例４のズームレンズは、図７に示すように、物体側から順に、正の屈折力の第１レンズ群Ｇ１と、負の屈折力の第２レンズ群Ｇ２と、正の屈折力の第３レンズ群Ｇ３と、明るさ絞りＳと、正の屈折力の第４レンズ群Ｇ４と、負の屈折力の第５レンズ群Ｇ５と、正の屈折力の第６レンズ群Ｇ６とを有している。
【００５９】
広角端から望遠端にかけての変倍時、第１レンズ群Ｇ１は固定である。第２レンズ群Ｇ２は像側に移動する。第３レンズ群Ｇ３は固定である。第４レンズ群Ｇ４は物体側へ移動する。第５レンズ群Ｇ５は物体側に移動する。第６レンズ群Ｇ６は固定である。よって、レンズ群の間隔は、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が減少し、第４レンズ群Ｇ４と第５レンズ群Ｇ５との間隔が変化し、第５レンズ群Ｇ５と第６レンズ群Ｇ６との間隔が増加する。
【００６０】
物体側から順に、第１レンズ群Ｇ１は、両凹負レンズと、光路を９０°折り曲げる反射部材と、両凸正レンズとからなる。第２レンズ群Ｇ２は、両凹負レンズと、両凹負レンズと物体側に凸面を向けた正メニスカスレンズの接合レンズとからなる。第３レンズ群Ｇ３は、両凸正レンズからなる。第４レンズ群Ｇ４は、両凸正レンズと物体側に凹面を向けた負メニスカスレンズの接合レンズからなる。
第５レンズ群Ｇ５は、両凹負レンズと両凸正レンズの接合レンズからなる。第６レンズ群Ｇ６は、両凸正レンズからなる。
【００６１】
上記、第６レンズ群の両凸正レンズを光軸と垂直な方向に移動させることで像シフトを行う。
【００６２】
非球面は、第１レンズ群の両凸正レンズの両面と、第２レンズ群の両凹負レンズの両面と、第３レンズ群の両凸正レンズの両面と、第４レンズ群の両凸正レンズと物体側に凹面を向けた負メニスカスレンズの接合レンズの物体側面と、第５レンズ群の両凹負レンズと両凸正レンズの接合レンズの像側面との８面に用いている。
【００６３】
実施例５のズームレンズは、図９に示すように、物体側から順に、正の屈折力の第１レンズ群Ｇ１と、負の屈折力の第２レンズ群Ｇ２と、正の屈折力の第３レンズ群Ｇ３と、明るさ絞りＳと、正の屈折力の第４レンズ群Ｇ４と、負の屈折力の第５レンズ群Ｇ５と、正の屈折力の第６レンズ群Ｇ６とを有している。
【００６４】
広角端から望遠端にかけての変倍時、第１レンズ群Ｇ１は固定である。第２レンズ群Ｇ２は像側に移動する。第３レンズ群Ｇ３は固定である。第４レンズ群Ｇ４は物体側へ移動する。第５レンズ群Ｇ５は物体側に移動する。第６レンズ群Ｇ６は固定である。よって、レンズ群の間隔は、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が減少し、第４レンズ群Ｇ４と第５レンズ群Ｇ５との間隔が変化し、第５レンズ群Ｇ５と第６レンズ群Ｇ６との間隔が増加する。
【００６５】
物体側から順に、第１レンズ群Ｇ１は、両凹負レンズと、光路を９０°折り曲げる反射部材と、両凸正レンズとからなる。第２レンズ群Ｇ２は、両凹負レンズと、両凹負レンズと物体側に凸面を向けた正メニスカスレンズの接合レンズとからなる。第３レンズ群Ｇ３は、両凸正レンズからなる。第４レンズ群Ｇ４は、両凸正レンズと物体側に凹面を向けた負メニスカスレンズの接合レンズからなる。
第５レンズ群Ｇ５は、物体側に凸面を向けた負メニスカスレンズと物体側に凸面を向けた正メニスカスレンズの接合レンズからなる。第６レンズ群Ｇ６は、両凸正レンズからなる。
【００６６】
上記、第６レンズ群の両凸正レンズを光軸と垂直な方向に移動させることで像シフトを行う。
【００６７】
非球面は、第１レンズ群の両凸正レンズの両面と、第２レンズ群の両凹負レンズの両面と、第３レンズ群の両凸正レンズの両面と、第４レンズ群の両凸正レンズと物体側に凹面を向けた負メニスカスレンズの接合レンズの物体側面と、第５レンズ群の物体側に凸面を向けた負メニスカスレンズと物体側に凸面を向けた正メニスカスレンズの接合レンズの像側面との８面に用いている。
【００６８】
以下に、上記各実施例の数値データを示す。記号は上記の外、ｆは全系焦点距離、ｆｂはバックフォーカス、ｆ１、ｆ２…は各レンズ群の焦点距離、ＩＨ（FIY）は像高、Ｆno.はＦナンバー、ωは半画角、広角は広角端、中間は中間焦点距離状態、望遠は望遠端、ｒは各レンズ面の曲率半径、ｄは各レンズ面間の間隔、ｎｄは各レンズのｄ線の屈折率、νｄは各レンズのアッベ数である。後述する全長は、レンズ最前面からレンズ最終面までの距離にバックフォーカスを加えたものである。ｆｂ（バックフォーカス）は、レンズ最終面から近軸像面までの距離を空気換算して表したものである。
【００６９】
なお、非球面形状は、ｘを光の進行方向を正とした光軸とし、ｙを光軸と直交する方向にとると、下記の式にて表される。
【００７０】
ｘ＝（ｙ2／ｒ）／［１＋｛１−（Ｋ＋１）（ｙ／ｒ）2｝1/2］
＋Ａ4ｙ4＋Ａ6ｙ6＋Ａ8ｙ8＋Ａ10ｙ10＋Ａ12ｙ12
ただし、ｒは近軸曲率半径、Ｋは円錐係数、Ａ4、Ａ6、Ａ8、Ａ10、Ａ12はそれぞれ４次、６次、８次、１０次、１２次の非球面係数である。また、非球面係数において、「ｅ−ｎ」（ｎは整数）は、「１０-n」を示している。
【００７１】
数値実施例１
単位  ｍｍ
面データ
面番号      r          d         nd        νd 
物面       ∞         ∞
1      59.091      0.70     2.00069    25.46
2      10.477      1.98
3        ∞        8.17     1.84666    23.78
4        ∞        0.20
5    13.542        2.56     1.69350    53.20
6   -16.795       -0.50
7        ∞        可変
8   -17.729        0.70     1.77377    47.17
9    23.283        0.43
10    1642.874      1.17     1.94595    17.98
11     -17.961      0.50     1.77250    49.60
12      16.392      可変
13       絞り       可変
14     9.430        2.87     1.49650    81.53
15   -12.041        0.20
16       9.542      3.00     1.49700    81.61
17     -19.626      0.50     1.59551    39.24
18      19.947      可変
19      50.287      0.50     1.85026    32.27
20       5.116      1.53     1.49700    81.61
21     8.795        可変
22    23.052        2.04     1.53071    55.60
23   -13.273        4.46
24        ∞        0.50     1.51633    64.14
25        ∞        0.50
26        ∞        0.50     1.51633    64.14
27        ∞        可変
像面(撮像面) ∞
非球面データ
第５面
k=0.000
A4=-7.53708e-04,A6=-1.20450e-06,A8=3.62632e-09,A10=-9.37643e-12
第６面
k=0.000
A4=1.14892e-04,A6=-1.39815e-06,A8=1.07358e-08,A10=-2.72577e-11
第８面
k=0.000
A4=6.06078e-05,A6=4.06286e-06,A8=2.09729e-07,A10=-8.29728e-09
第９面
k=0.000
A4=-9.59376e-05,A6=9.58126e-06,A8=2.94652e-07,A10=-3.72140e-09
第１４面
k=0.000
A4=-2.55064e-04,A6=-1.50354e-06,A8=1.10617e-07,A10=-2.84761e-09
第１５面
k=0.000
A4=-1.44097e-04,A6=-2.76995e-06,A8=1.89945e-07,A10=-3.77127e-09
第２１面
k=0.000
A4=4.15815e-04,A6=0.00000e-00,A8=0.00000e-00,A10=0.00000e-00
第２２面
k=0.000
A4=8.71631e-04,A6=-2.87696e-05,A8=1.21878e-06,A10=1.10744e-08
第２３面
k=0.000
A4=1.10430e-03,A6=-3.37750e-05,A8=8.30022e-07,A10=3.65168e-08
ズームデータ
広角      中間      望遠
焦点距離           5.11     10.98     24.44
Ｆno.              3.60      4.23      5.90
画角２ω          84.60      37.82    17.36
fb (in air)        5.99      5.99      5.99
全長 (in air)     55.15     55.15     55.15
d7                 0.99      6.55      7.50 
d12                7.45      1.89      0.94 
d13               10.44      8.26      0.94 
d18                1.72      2.31      4.29 
d21                1.99      3.58      8.92 
d27                0.37      0.37      0.37 
群焦点距離
f1=16.22    f2=-8.42    f3=8.65    f4=-9.00    f5=16.19 
【００７２】
数値実施例２
単位  ｍｍ
面データ
面番号      r          d         nd        νd 
物面       ∞         ∞
1      72.036      0.70     2.00069    25.46
2      11.062      1.94
3        ∞        8.17     1.84666    23.78
4        ∞        0.20
5    14.487        2.66     1.69350    53.20
6   -13.507       -0.50
7        ∞        可変
8   -12.656        0.70     1.77377    47.17
9    61.290        0.34
10     -68.835      1.12     1.94595    17.98
11     -14.494      0.50     1.77250    49.60
12      17.290      可変
13       絞り       可変
14     9.906        2.70     1.49650    81.53
15   -16.014        0.20
16       9.235      2.06     1.49700    81.61
17     210.938      0.50     1.60342    38.03
18      23.872      可変
19      20.906      0.50     1.90366    31.32
20       4.510      2.11     1.49700    81.61
21     9.360        可変
22    15.961        2.25     1.53071    55.60
23   -20.066        4.44
24        ∞        0.50     1.51633    64.14
25        ∞        0.50
26        ∞        0.50     1.51633    64.14
27        ∞        可変
像面(撮像面) ∞
非球面データ
第５面
k=0.000
A4=-5.33049e-05,A6=-8.78355e-07,A8=7.00933e-08,A10=-2.92194e-09
第６面
k=0.000
A4=1.09800e-04,A6=-2.10331e-07,A8=3.47631e-08,A10=-2.20072e-09
第８面
k=0.000
A4=2.12359e-04,A6=-1.43073e-05,A8=2.17913e-06,A10=-8.19098e-08
第９面
k=0.000
A4=-1.29404e-06,A6=-3.49457e-05,A8=5.77659e-06,A10=-2.36586e-07
第１４面
k=0.000
A4=-1.66309e-04,A6=-7.89320e-07,A8=3.67215e-08,A10=-6.71321e-10
第１５面
k=0.000
A4=1.09962e-04,A6=-9.99558e-07,A8=5.95137e-08,A10=-8.32521e-10
第２１面
k=0.000
A4=3.21183e-04,A6=0.00000e-00,A8=0.00000e-00,A10=0.00000e-00
第２２面
k=0.000
A4=4.16527e-04,A6=-8.97402e-06,A8=-3.55028e-07,A10=3.16309e-08
第２３面
k=0.000
A4=5.55075e-04,A6=-1.39024e-05,A8=-6.00202e-07,A10=4.62669e-08
ズームデータ
広角      中間      望遠
焦点距離           5.11     12.00     27.72
Ｆno.              3.80      5.73      6.00
画角２ω          84.10      34.76    15.42
fb (in air)        6.00      6.00      6.00
全長 (in air)     56.75     56.75     56.75
d7                 0.99      4.75      7.94 
d12                7.87      4.11      0.92 
d13               11.21      6.07      0.93 
d18                2.54      3.03      3.37 
d21                1.99      6.64     11.43 
d27                0.41      0.41      0.41 
群焦点距離
f1=13.78    f2=-7.97    f3=9.12    f4=-9.82    f5=17.12 
【００７３】
数値実施例３
単位  ｍｍ
面データ
面番号      r          d         nd        νd 
1      42.631      0.70     2.00069    25.46
2       9.235      2.18
3        ∞        8.20     1.84666    23.78
4        ∞        0.20
5      17.230      2.63     1.69350    53.20
6     -12.023     -0.50
7        ∞        D7
8     -11.365      0.70     1.77377    47.17
9      50.708      0.55
10     -26.088      1.26     1.94595    17.98
11      -9.742      0.50     1.78590    44.20
12      47.844      D12
13       絞り       D13
14       7.100      2.90     1.73077    40.50
15     -17.435      1.04
16     346.000      0.40     2.00069    25.46
17       6.089      2.61     1.49700    81.61
18     -10.226      D18
19    -481.856      0.40     1.85135    40.10
20       9.179      D20
21      14.084      2.46     1.52540    56.25
22     -34.499      5.06
23        ∞        0.50     1.51633    64.14
24        ∞        0.50
25        ∞        0.50     1.51633    64.14
26        ∞        可変
像面(撮像面) ∞
非球面データ
第５面
k=0.000
A4=4.31030e-05,A6=-1.90397e-06,A8=3.92108e-08
第６面
k=0.000
A4=1.93231e-04,A6=-1.94169e-06,A8=7.35064e-08
第８面
k=0.000
A4=2.97425e-04,A6=1.69498e-06,A8=-1.58892e-07
第９面
k=0.000
A4=-3.20168e-05,A6=1.47819e-05,A8=-4.78831e-07
第１４面
k=0.000
A4=-3.55450e-04,A6=-1.08149e-06,A8=-1.39957e-07
第１５面
k=0.000
A4=2.66236e-04,A6=2.47616e-07,A8=-9.58120e-08
第１８面
k=0.000
A4=6.02930e-04,A6=-4.97979e-05,A8=2.42454e-06
第１９面
k=0.000
A4=-2.25611e-03,A6=2.44154e-04,A8=-3.60034e-06
第２０面
k=0.000
A4=-2.42320e-03,A6=2.71506e-04,A8=-2.94989e-06
第２１面
k=0.000
A4=5.91584e-04,A6=2.24888e-05,A8=-4.75613e-06,A10=1.11282e-07
第２２面
k=0.000
A4=8.25161e-04,A6=4.33339e-05,A8=-7.57162e-06,A10=1.83543e-07
ズームデータ
広角      中間      望遠
焦点距離           4.98     10.50     23.93
Ｆno.              3.69      4.79      6.00
画角２ω          85.98     39.24     17.86
fb (in air)        6.59      6.59      6.59
全長 (in air)     55.66     55.66     55.66
d7                1.12      5.48      8.19
d12               8.01      3.66      0.95
d13               9.47      6.13      0.55
d18               1.53      2.15      3.42
d20               1.73      4.44      8.75
d26               0.37      0.37      0.37
群焦点距離
f1=14.07    f2=-8.12    f3=9.09    f4=-10.58    f5=19.37 
【００７４】
数値実施例４
単位  ｍｍ
面データ
面番号      r          d         nd        νd 
物面       ∞         ∞
1    -196.178      0.80     2.00178    19.32
2      15.848      1.13
3        ∞        8.40     1.90366    31.31
4        ∞        0.30
5    11.321        2.80     1.82080    42.71
6   -20.878        可変
7   -14.827        0.50     1.86400    40.58
8     6.152        1.02
9     -22.296      0.45     1.88300    40.80
10       9.189      1.15     1.92286    18.90
11     161.222      可変
12    15.489        1.10     1.67790    55.34
13   -18.884        0.20
14       絞り       可変
15    11.647        2.86     1.62299    58.12
16      -7.052      0.54     1.84666    23.78
17     -12.334      可変
18     -34.753      0.50     2.00069    25.46
19       6.089      2.25     1.49710    81.56
20  -248.863        可変
21      98.752      2.15     2.00330    28.27
22     -13.570      3.43
23        ∞        0.50     1.51680    64.20
24        ∞        0.50
25        ∞        0.50     1.51680    64.20
26        ∞        可変
像面(撮像面) ∞
非球面データ
第５面
k=0.000
A4=-1.17199e-04,A6=4.67326e-07,A8=-4.83899e-09,A10=-4.98500e-10
第６面
k=0.000
A4=8.62164e-05,A6=1.22948e-06,A8=-4.70691e-08,A10=2.02796e-10
第７面
k=0.000
A4=3.41203e-04,A6=2.11567e-05,A8=-3.76402e-07
第８面
k=0.000
A4=-6.99718e-04,A6=1.42343e-05,A8=3.65675e-06
第１２面
k=0.000
A4=-4.51883e-05,A6=-1.49311e-04,A8=2.39204e-05,A10=-1.55430e-06
第１３面
k=0.000
A4=7.59634e-05,A6=-1.11311e-04,A8=1.63791e-05,A10=-1.06863e-06
第１５面
k=0.000
A4=-2.07390e-04,A6=3.99255e-06,A8=-2.28648e-07,A10=5.67023e-09
第２０面
k=0.000
A4=6.22513e-04,A6=9.23295e-06,A8=-1.97445e-07
ズームデータ
広角      中間      望遠
焦点距離           5.09     11.01     24.38
Ｆno.              3.61      4.17      5.82
画角２ω          81.52     37.60     17.62
fb (in air)        4.96      4.96      4.96
全長 (in air)     54.62     54.62     54.62
d6                 0.60      4.15      6.24 
d11                6.15      2.59      0.50 
d14               11.15      6.69      1.37 
d17                4.25      6.61      8.61 
d20                1.37      3.48      6.80 
d26                0.36      0.36      0.36 
群焦点距離
f1=11.59    f2=-3.97    f3=12.72    f4=11.57    f5=-9.11   f6=12.01 
【００７５】
数値実施例５
単位  ｍｍ
面データ
面番号      r          d         nd        νd 
物面       ∞         ∞
1     -74.688      0.80     2.00178    19.32
2      18.062      0.90
3        ∞        8.40     1.90366    31.31
4        ∞        0.30
5    13.524        2.41     1.85135    40.10
6   -19.760        可変
7   -11.691        0.50     1.86400    40.58
8     8.143        0.94
9     -26.513      0.45     1.88300    40.80
10      10.984      1.07     1.92286    18.90
11     150.986      可変
12    14.107        1.06     1.67790    55.34
13   -24.947        0.19
14       絞り       可変
15    10.009        2.80     1.58913    61.25
16      -9.420      0.54     1.84666    23.78
17     -14.973      可変
18      24.934      0.50     2.00069    25.46
19       4.813      1.98     1.49710    81.56
20    11.187        可変
21      38.472      2.40     1.91082    35.25
22     -14.890      3.38
23        ∞        0.50     1.51680    64.20
24        ∞        0.50
25        ∞        0.50     1.51680    64.20
26        ∞        可変
像面(撮像面) ∞
非球面データ
第５面
k=0.000
A4=-7.67439e-05,A6=4.10716e-07,A8=-7.43738e-09,A10=-6.37897e-10
第６面
k=0.000
A4=7.87668e-05,A6=8.34205e-07,A8=-2.04326e-08,A10=-1.97789e-10
第７面
k=0.000
A4=6.39087e-04,A6=6.64459e-06,A8=8.57390e-08
第８面
k=0.000
A4=-1.77657e-04,A6=6.69729e-06,A8=2.82839e-06
第１２面
k=0.000
A4=7.99065e-04,A6=-2.28138e-05,A8=1.39836e-05,A10=-3.21881e-07
第１３面
k=0.000
A4=9.51938e-04,A6=-7.71503e-06,A8=1.16142e-05,A10=-8.07058e-08
第１５面
k=0.000
A4=-1.89871e-04,A6=5.37175e-07,A8=-7.53240e-08,A10=1.11305e-09
第２０面
k=0.000
A4=5.33973e-04,A6=2.31184e-05,A8=-1.24374e-06
ズームデータ
広角      中間      望遠
焦点距離           5.13     12.00     27.71
Ｆno.              3.80      4.60      6.00
画角２ω          81.16     34.50     15.64
fb (in air)        4.91      4.91      4.91
全長 (in air)     56.75     56.75     56.75
d6                 0.60      4.79      7.30 
d11                7.21      3.02      0.50 
d14               13.71      7.41      1.44 
d17                3.14      5.30      7.30 
d20                1.93      6.08     10.06 
d26                0.37      0.37      0.37 
群焦点距離
f1=12.89    f2=-4.43    f3=13.44    f4=11.84    f5=-9.00   f6=12.04 
【００７６】
以上の実施例１〜５の無限遠物点合焦時の収差図をそれぞれ図２、図４、図６、図８、図１０に示す。これらの収差図において、（ａ）は広角端、（ｂ）は中間焦点距離状態、（ｃ）は望遠端における球面収差（ＳＡ）、非点収差（ＡＳ）、歪曲収差（ＤＴ）、倍率色収差（ＣＣ）を示す。各図中、”ＦＩＹ”は最大像高を示す。
【００７７】
次に、各実施例における条件式の値を掲げる。
実施例１   実施例２   実施例３
(1)  １−β5                  0.40       0.40       0.40
(2)  ｆ4／ｆw                -1.76      -1.92      -2.12 
(3)  ｆ1／ｆw                 3.17       2.70       2.82 
(4)  ｆ2／ｆw                -1.65      -1.56      -1.63 
(5)  ｆ3／ｆw                 1.69       1.79       1.82 
【００７８】
実施例４   実施例５
(6)  １−β6                  0.42       0.44 
(7)  ｆ4／ｆw                 2.27       2.31
(8)  ｆ5／ｆw                -1.79      -1.75
(9)  ｆ1／ｆw                 2.28       2.51
【００７９】
（デジタルカメラ）
さて、以上のような本発明のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【００８０】
図１１は、本発明によるズームレンズをデジタルカメラの撮影光学系に組み込んだ構成を示す断面図である。デジタルカメラは、この例の場合、実施例１のズームレンズをデジタルカメラの光学系に採用している。ズームレンズに光学系において第１レンズ群Ｇ１のうち第３面ｒ３および第４面ｒ４の間で、光路を９０°折り曲げる反射部材を含んでいる。  前記ズームレンズ光学系に入射した光線は断面図右方の近赤外カットフィルターと光学的ローパスフィルターＦを介してＣＣＤの撮像面上に像を形成する。  このＣＣＤで受光された物体像は、処理手段を介し、電子画像としてカメラ背面に設けられた液晶表示モニターに表示される。また、この処理手段には記録手段が接続され、撮影された電子画像を記録することもできる。なお、この記録手段は処理手段と別体に設けてもよいし、フレキシブルディスクやメモリーカード、ＭＯ等により電子的に記録書込を行うように構成してもよい。また、ＣＣＤに代わって銀塩フィルムを配置した銀塩カメラとして構成してもよい。
【００８１】
このように構成されたデジタルカメラは、撮影光学系が、本発明により、十分な広角域を有し、コンパクトな構成としながら、高変倍で全変倍域で結像性能が極めて安定的であるので、高性能・小型化・広角化が実現できる。そして、広角側、望遠側での速い合焦動作および、簡易な機構で防振が可能となる。
【産業上の利用可能性】
【００８２】
以上のように、本発明にかかるズームレンズ及び撮像装置は、高い光学性能を確保しつつ小型化する場合に有用である。
【符号の説明】
【００８３】
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
Ｓ…明るさ絞り
Ｆ…ローパスフィルタ
Ｃ…カバーガラス
Ｉ…像面
【図１】
2013037326.tif 000003
【図２】
2013037326.tif 000004
【図３】
2013037326.tif 000005
【図４】
2013037326.tif 000006
【図５】
2013037326.tif 000007
【図６】
2013037326.tif 000008
【図７】
2013037326.tif 000009
【図８】
2013037326.tif 000010
【図９】
2013037326.tif 000011
【図１０】
2013037326.tif 000012
【図１１】
2013037326.tif 000013